【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
データと、送信するための要求とを受信することと、
前記受信されたデータに関連する肯定応答情報と、前記受信された送信するための要求に関連するスケジューリング情報とを備える媒体アクセス制御（ＭＡＣ）フレームを生成することと、ここにおいて、前記肯定応答情報は、前記肯定応答情報が生成される装置の量の表示を備える、
前記フレームを送信することと、
を備える、ワイヤレス通信の方法。
【請求項２】
前記肯定応答情報は、前記装置の各々について、前記装置からデータが正常に受信されたかどうかを示す、請求項１に記載の方法。
【請求項３】
前記スケジューリング情報が、パイロット送信のために使用されるべき順序、データ送信のために使用されるべき順序、および／または、後続の送信するための要求の送信のための開始時間および持続時間を示す、請求項１に記載の方法。
【請求項４】
前記スケジューリング情報が、少なくとも１つのスケジュールされたデータ送信のための開始時間と持続時間とを示す、請求項１に記載の方法。
【請求項５】
前記スケジューリング情報が、データを送信するためにスケジュールされた複数の装置を識別し、
前記スケジューリング情報が、前記識別された装置の各々について、前記識別された装置のための前記スケジュールされたデータ送信のための開始時間と持続時間とを示す、請求項１に記載の方法。
【請求項６】
前記スケジューリング情報が、データを送信するためにスケジュールされた複数の装置を識別し、
前記スケジューリング情報が、前記識別された装置の各々について、前記識別された装置のためのスケジュールされたデータ送信のための割り振られた時間周波数リソースを示す、請求項１に記載の方法。
【請求項７】
前記スケジューリング情報が、データを送信するためにスケジュールされた複数の装置を識別し、
前記スケジューリング情報が、前記識別された装置の各々について、前記識別された装置のためのスケジュールされたデータ送信に関する送信レートを示す、請求項１に記載の方法。
【請求項８】
前記スケジューリング情報が、データを送信するためにスケジュールされた複数の装置を識別し、
前記スケジューリング情報が、前記識別された装置の各々について、前記識別された装置のためのスケジュールされたデータ送信のための変調およびコーディング方式を示す、請求項１に記載の方法。
【請求項９】
前記装置とのマルチユーザ多入力多出力（ＭＵ−ＭＩＭＯ）通信を確立することと、
前記確立されたＭＵ−ＭＩＭＯ通信に従ってデータ送信をスケジュールすることと、
をさらに備える、請求項１に記載の方法。
【請求項１０】
前記装置との直交周波数分割多元接続（ＯＦＤＭＡ）通信を確立することと、
前記確立されたＯＦＤＭＡ通信に従ってデータ送信をスケジュールすることと、
をさらに備える、請求項１に記載の方法。
【請求項１１】
前記複数の装置との時間領域スケジュールド送信（ＴＤＳＴ）通信を確立することと、
前記確立されたＴＤＳＴ通信に従ってデータ送信をスケジュールすることと、
をさらに備える、請求項１に記載の方法。
【請求項１２】
前記複数の装置との時間周波数スケジュールド送信（ＴＦＳＴ）通信を確立することと、
前記確立されたＴＦＳＴ通信に従ってデータ送信をスケジュールすることと、
をさらに備える、請求項１に記載の方法。
【請求項１３】
データと、送信するための要求とを受信するための手段と、
前記受信されたデータに関連する肯定応答情報と、前記受信された送信するための要求に関連するスケジューリング情報とを備える媒体アクセス制御（ＭＡＣ）フレームを生成するための手段と、ここにおいて、前記肯定応答情報は、前記肯定応答情報が生成される装置の量の表示を備える、
前記フレームを送信するための手段と、
を備える、ワイヤレス通信のための装置。
【請求項１４】
アンテナと、
請求項１３に記載の装置と、
を備える、アクセスポイント。
【請求項１５】
請求項１乃至１２のいずれか一項に記載の方法を行うように実行可能なコードを備えるコンピュータ可読媒体
を備える、コンピュータプログラム製品。
【手続補正２】
【補正対象書類名】明細書
【補正対象項目名】０１９７
【補正方法】変更
【補正の内容】
【０１９７】
[00217]  開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
データと、送信するための要求とを受信するように構成された受信機と、
前記受信されたデータに関連する肯定応答情報と、前記受信された送信するための要求に関連するスケジューリング情報とを備える媒体アクセス制御（ＭＡＣ）フレームを生成するように構成された処理システムと、ここにおいて、前記肯定応答情報は、前記肯定応答情報が生成される装置の量の表示を備える、
前記フレームを送信するように構成された送信機とを備える、ワイヤレス通信のための装置。
［Ｃ２］
前記肯定応答情報は、前記装置の各々について、前記装置からデータが正常に受信されたかどうかを示す、Ｃ１に記載の装置。
［Ｃ３］
前記スケジューリング情報が、パイロット送信のために使用されるべき順序を示す、Ｃ１に記載の装置。
［Ｃ４］
前記スケジューリング情報が、データ送信のために使用されるべき順序を示す、Ｃ１に記載の装置。
［Ｃ５］
前記スケジューリング情報が、後続の送信するための要求の送信のための開始時間と持続時間とを示す、Ｃ１に記載の装置。
［Ｃ６］
前記スケジューリング情報が、少なくとも１つのスケジュールされたデータ送信のための開始時間と持続時間とを示す、Ｃ１に記載の装置。
［Ｃ７］
前記スケジューリング情報が、データを送信するようにスケジュールされた複数の装置を識別し、
前記スケジューリング情報が、前記識別された装置の各々について、前記識別された装置のための前記スケジュールされたデータ送信のための開始時間と持続時間とを示す、Ｃ１に記載の装置。
［Ｃ８］
前記スケジューリング情報が、データを送信するためにスケジュールされた複数の装置を識別し、
前記スケジューリング情報が、前記識別された装置の各々について、前記識別された装置のためにスケジュールされたデータ送信のための割り振られた時間周波数リソースを示す、Ｃ１に記載の装置。
［Ｃ９］
前記スケジューリング情報が、データを送信するためにスケジュールされた複数の装置を識別し、
前記スケジューリング情報が、前記識別された装置の各々について、前記識別された装置のためのスケジュールされたデータ送信に関する送信レートを示す、Ｃ１に記載の装置。
［Ｃ１０］
前記スケジューリング情報が、データを送信するためにスケジュールされた複数の装置を識別し、
前記スケジューリング情報が、前記識別された装置の各々について、前記識別された装置のためにスケジュールされたデータ送信のための変調およびコーディング方式を示す、Ｃ１に記載の装置。
［Ｃ１１］
前記処理システムが、
前記装置とのマルチユーザ多入力多出力（ＭＵ−ＭＩＭＯ）通信を確立することと、
前記確立されたＭＵ−ＭＩＭＯ通信に従ってデータ送信をスケジュールすることとを行うようにさらに構成された、Ｃ１に記載の装置。
［Ｃ１２］
前記処理システムが、
前記装置との直交周波数分割多元接続（ＯＦＤＭＡ）通信を確立することと、
前記確立されたＯＦＤＭＡ通信に従ってデータ送信をスケジュールすることとを行うようにさらに構成された、Ｃ１に記載の装置。
［Ｃ１３］
前記処理システムが、
前記複数の装置との時間領域スケジュールド送信（ＴＤＳＴ）通信を確立することと、
前記確立されたＴＤＳＴ通信に従ってデータ送信をスケジュールすることとを行うようにさらに構成された、Ｃ１に記載の装置。
［Ｃ１４］
前記処理システムが、
前記複数の装置との時間周波数スケジュールド送信（ＴＦＳＴ）通信を確立することと、
前記確立されたＴＦＳＴ通信に従ってデータ送信をスケジュールすることとを行うようにさらに構成された、Ｃ１に記載の装置。
［Ｃ１５］
データと、送信するための要求とを受信することと、
前記受信されたデータに関連する肯定応答情報と、前記受信された送信するための要求に関連するスケジューリング情報とを備える媒体アクセス制御（ＭＡＣ）フレームを生成することと、ここにおいて、前記肯定応答情報は、前記肯定応答情報が生成される装置の量の表示を備える、
前記フレームを送信することとを備える、ワイヤレス通信の方法。
［Ｃ１６］
前記肯定応答情報は、前記装置の各々について、前記装置からデータが正常に受信されたかどうかを示す、Ｃ１５に記載の方法。
［Ｃ１７］
前記スケジューリング情報が、パイロット送信のために使用されるべき順序を示す、Ｃ１５に記載の方法。
［Ｃ１８］
前記スケジューリング情報が、データ送信のために使用されるべき順序を示す、Ｃ１５に記載の方法。
［Ｃ１９］
前記スケジューリング情報が、後続の送信するための要求の送信のための開始時間と持続時間とを示す、Ｃ１５に記載の方法。
［Ｃ２０］
前記スケジューリング情報が、少なくとも１つのスケジュールされたデータ送信のための開始時間と持続時間とを示す、Ｃ１５に記載の方法。
［Ｃ２１］
前記スケジューリング情報が、データを送信するようにスケジュールされた複数の装置を識別し、
前記スケジューリング情報が、前記識別された装置の各々について、前記識別された装置のための前記スケジュールされたデータ送信のための開始時間と持続時間とを示す、Ｃ１５に記載の方法。
［Ｃ２２］
前記スケジューリング情報が、データを送信するためにスケジュールされた複数の装置を識別し、
前記スケジューリング情報が、前記識別された装置の各々について、前記識別された装置のためにスケジュールされたデータ送信のための割り振られた時間周波数リソースを示す、Ｃ１５に記載の方法。
［Ｃ２３］
前記スケジューリング情報が、データを送信するためにスケジュールされた複数の装置を識別し、
前記スケジューリング情報が、前記識別された装置の各々について、前記識別された装置のためのスケジュールされたデータ送信に関する送信レートを示す、Ｃ１５に記載の方法。
［Ｃ２４］
前記スケジューリング情報が、データを送信するためにスケジュールされた複数の装置を識別し、
前記スケジューリング情報が、前記識別された装置の各々について、前記識別された装置のためのスケジュールされたデータ送信のための変調およびコーディング方式を示す、Ｃ１５に記載の方法。
［Ｃ２５］
前記装置とのマルチユーザ多入力多出力（ＭＵ−ＭＩＭＯ）通信を確立することと、
前記確立されたＭＵ−ＭＩＭＯ通信に従ってデータ送信をスケジュールすることとをさらに備える、Ｃ１５に記載の方法。
［Ｃ２６］
前記装置との直交周波数分割多元接続（ＯＦＤＭＡ）通信を確立することと、
前記確立されたＯＦＤＭＡ通信に従ってデータ送信をスケジュールすることとをさらに備える、Ｃ１５に記載の方法。
［Ｃ２７］
前記複数の装置との時間領域スケジュールド送信（ＴＤＳＴ）通信を確立することと、
前記確立されたＴＤＳＴ通信に従ってデータ送信をスケジュールすることとをさらに備える、Ｃ１５に記載の方法。
［Ｃ２８］
前記複数の装置との時間周波数スケジュールド送信（ＴＦＳＴ）通信を確立することと、
前記確立されたＴＦＳＴ通信に従ってデータ送信をスケジュールすることとをさらに備える、Ｃ１５に記載の方法。
［Ｃ２９］
アンテナと、
データと、送信するための要求とを受信するように構成された受信機と、
前記受信されたデータに関連する肯定応答情報と、前記受信された送信するための要求に関連するスケジューリング情報とを備える媒体アクセス制御（ＭＡＣ）フレームを生成するように構成された処理システムと、ここにおいて、前記肯定応答情報は、前記肯定応答情報が生成される装置の量の表示を備える、
前記アンテナを介して前記フレームを送信するように構成された送信機とを備える、アクセスポイント。
［Ｃ３０］
データと、送信するための要求とを受信することと、
前記受信されたデータに関連する肯定応答情報と、前記受信された送信するための要求に関連するスケジューリング情報とを備える媒体アクセス制御（ＭＡＣ）フレームを生成することと、ここにおいて、前記肯定応答情報は、前記肯定応答情報が生成される装置の量の表示を備える、
前記フレームを送信することと
を行うように実行可能なコードを備えるコンピュータ可読媒体を備える、コンピュータプログラム製品。